(57)【要約】【課題】従来から使用されているオフセットパラボラアンテナを用いて，水平方向から送信される電波の受信を可能にするパラボラアンテナ支持装置を提供する。【解決手段】基体６１と，固定板６０と，その固定板６１に対し，ボルト４ａの締め付け操作で押付け可能に組み付けられた支柱５０に対する押え板３とを備え，前記固定板６０の下部は，上記基体６１下部に設けた枢着点に枢着して，当該基体６１の遥動を自在にすると共に，その基体６１の上部には遥動方向に長い長溝６４を設け，その長溝６１内には前記基体５１側から固定板遥動止用のボルト６５を突設させ，更には，前記基体６１には，当該基体６１に保持されてなるアンテナ支柱２が備えさせて有り，前記アンテナ支柱２の開放端側であるアンテナ取付け部２ａの軸線と，前記基体６１が形成する平面の垂直線とが，４０〜６０°の角度を持つように形成される。【選択図】　図２
2004088367.tif 000002
【特許請求の範囲】
【請求項１】
基体と，固定板と，その固定板に対し，ボルトの締め付け操作で押付け可能に組み付けられた構造物に対する押え板とを備え，一方，前記固定板には，上記基体に設けた枢着点に枢着して，当該基体の遥動を自在にすると共に，その基体には遥動方向に長い長溝を設け，その長溝内には前記基体側から固定板遥動止用の締付具を突設させ，
更には，前記基体には，当該基体に保持されてなるアンテナ支柱が備えさせて有り，
前記アンテナ支柱の開放端側におけるアンテナ取付け部の軸線と，前記基体が形成する平面の垂直線とが，直交しないように形成されたことを特徴としたパラボラアンテナ支持装置。
【請求項２】
前記アンテナ支柱の開放端側におけるアンテナ取付け部の軸線と前記基体が形成する平面の垂直線とが，４０〜６０°の角度を持つように形成されたことを特徴とした請求項１に記載のパラボラアンテナ支持装置。
【請求項３】
前記アンテナ支柱は，構造物の外側に向かって曲げた屈曲部を設けたことを特徴とした請求項１乃至請求項２のいずれかに記載のパラボラアンテナ支持装置。
【発明の詳細な説明】
【０００１】
【発明の属する技術分野】
本発明は，パラボラアンテナを支持する装置に関する。
【０００２】
【従来の技術】
従来，パラボラアンテナ支持装置は，支柱にパラボラアンテナを取付ける支持部と，当該支持部に接続され前記パラボラアンテナを支持するためのアンテナ支柱からなり，そのアンテナ支柱はＩ字型若しくはＬ字型の形状をしており，当該支持柱の一方端側は例えば溶接等の方法で前記支持部に保持される構成となっていた。
つまりは，パラボラアンテナ支持装置が支柱に取付けられた時に，前記アンテナ支柱の開放端側であるアンテナ取付け部の端部若しくは近傍にパラボラアンテナが取付けられると共に，当該アンテナ支柱が鉛直になるよう設置する構成となっていた。
【０００３】
【発明が解決しようとする課題】
しかし，従来のパラボラアンテナ支持装置は，当該アンテナ支持装置に取付けられるアンテナが主にオフセットパラボラアンテナである事から，当該パラボラアンテナが受信する衛星放送からの電波の到来方向に仰角調整が容易にできるよう構成されていた。
しかしながら近年の技術的な進歩や，新しいシステムの構築がなされるに当たって，例えば衛星からの電波を受信するだけではなく，地上の基地局からも同様な電波が送信され，それを受信するシステムも考えられるのである。
ところが上述のように，地上の基地局からの電波，即ち水平方向からの電波を受信するために従来のアンテナ支持装置を使おうとすると，アンテナ装置を新しく設計し直す必要が生じ，これによって開発費用が発生し，部品の種類の増加とそれに伴う管理費用が生じる，といった問題が発生するのである。
また，新規設計にて水平方向からの電波を受信するための新しい支柱を作ったのならば，既設の衛星アンテナが設置された支柱の他に，また新たに支柱を設置する必要があり，工事費用や部材費用がかさむことになる。
本願の発明は，こうした問題点に鑑みてなされたものであり，
その目的は，パラボラアンテナを取付ける為のパラボラアンテナ支持装置を提供することにある。
他の目的は，支柱に取付け可能なパラボラアンテナ支持装置を提供することにある。
他の目的は，従来のオフセットパラボラアンテナを取付け可能なパラボラアンテナ支持装置を提供することにある。
他の目的は，従来のオフセットパラボラアンテナを用いて，水平方向からの電波が受信可能なパラボラアンテナ支持装置を提供することにある。
他の目的は，アンテナ支持柱の開放端側にけるアンテナ取付け部の軸線と，パラボラアンテナ支持装置の取付け面とがオフセットされて設けられたパラボラアンテナ支持装置を提供することにある。
【０００４】
【課題を解決するための手段】
上記課題を解決するために，請求項１の発明は，基体と，固定板と，その固定板に対し，ボルトの締め付け操作で押付け可能に組み付けられた構造物に対する押え板とを備え，一方，前記固定板には，上記基体に設けた枢着点に枢着して，当該基体の遥動を自在にすると共に，その基体には遥動方向に長い長溝を設け，その長溝内には前記基体側から固定板遥動止用の締付具を突設させ，
更には，前記基体には，当該基体に保持されてなるアンテナ支柱が備えさせて有り，
前記アンテナ支柱の開放端側におけるアンテナ取付け部の軸線と，前記基体が形成する平面の垂直線とが，直交しないように形成される。
【０００５】
請求項２の発明は，前記アンテナ支柱の開放端側におけるアンテナ取付け部の軸線と前記基体が形成する平面の垂直線とが，４０〜６０°の角度を持つように形成される。
【０００６】
請求項３の発明は，前記アンテナ支柱は，構造物の外側に向かって曲げた屈曲部を設けるよう形成される。
【０００７】
【発明の実施の形態】
以下に，本発明を具体化した実施形態の１例を，図面を基に詳細に説明する。図１は，既設の衛星アンテナ１０１（例えばＢＳ用パラボラアンテナ）の取付け用支柱５０に，本願のパラボラアンテナ支持装置１１０を用いて，アンテナ装置１０２を取付ける例を示す斜視図である。１０３は例えば建築物の屋上に代表される衛星アンテナの設置場所である。支持台１０４には，支柱５０が鉛直に取付けられている。
【０００８】
前記パラボラアンテナ支持装置１１０は，既設の前記支柱５０に取付けた前記アンテナ装置１０２を用いて，水平方向からの電波を受信可能とするよう構成されている。アンテナ装置１０２は既存のパラボラアンテナ鏡面１０２ａ，支持腕１０２ｂ及び鏡面支持装置１０２ｃを利用したものであり，コンバーター１０２ｄ及び一次放射器１０２ｅは，受信する電波に合わせて電気的特性を満たすようにそれぞれ設計されるものである。
【０００９】
次に，図２を用いて，本願のパラボラアンテナ支持装置１１０の詳細について説明する。このパラボラアンテナ支持装置１１０は，断面略コ字型で両側板６１ａ，６１ａを有した基体６１と，当該基体６１に設けた枢着点に枢着された，例えば支柱５０等の建造物の一方側から当接させる固定板６０と，前記支柱５０の反対面に当接する２組のあて板３と，前記固定板６０とあて板３とを締め付ける４本のボルト４ａと，当該基体６１に溶接により一方端２ｃを保持されたパイプ状のアンテナ支柱２とから構成されている。
【００１０】
次に，前記基体６１には，Ｍ状に折り曲げ加工された固定板６０が，前記基体６１の開口側と対向するように組み付けられている。固定板６０における両側板６０ａ，６０ａの上部及び下部にはそれぞれ１つずつねじ孔６２が設けられていると共に，前記基体６１における両側板６１ａ，６１ａの上部及び下部には，前記ねじ孔６２に対応した位置にボルト挿通孔６３（１つは隠れて見えない），６４が穿設され，当該ボルト挿通孔６４は下部に穿設されたボルト挿通孔６３を中心点とした円弧状の長溝になっている。
【００１１】
そして基体６１は，固定板６０に対して各ねじ孔を合致させ，ボルト６５で固定でき，その基体６１は，ボルト６５の締め付けを緩めることにより，固定板６０に対して前記枢着点を中心点として，相対的に回転させて仰角の調整をすることができる。
また，基板６１の外面略中央部には略へ字型のアンテナ支持柱２の一方端２ｃが例えば溶接により保持されている。
前記アンテナ支柱２の開放端側であるアンテナ取付け部２ａには，オフセットパラボラアンテナが取付けられるのであるが，本願においては，当該アンテナ支柱２のアンテナ取付け部２ａの軸線と，前記基体６１が形成する平面に対する垂直線とがなす角度θを４０〜６０°に成るようにアンテナ支柱２が形成されている。この関係を図３に示す。
【００１２】
次に，あて板３は長方形状の金属板の長辺を支柱５０側に折り曲げて断面略コ字形に形成されるとともに，折り曲げられた金属板の略中央部には支柱５０と当接するように湾曲部９を形成している。また，前記あて板３の両端部にはボルト孔が設けられている。そして，支柱５０にＭ字状に曲げ加工された固定板６０とあて板３の湾曲部９を当接させ，ボルト４ａをあて板３のボルト孔から，前記固定板６０の平面部６０ｂに備えさせたねじ孔６６ａ，６６ｂ及び６６ｃ，６６ｄ（６６ｄは側板６０ａに隠れて図示されていない）に通して，あて板３を締付け固定するよう構成される。
尚，本願の実施例においては，前記ねじ孔６６ａ，６６ｂ，６６ｃ，６６ｄは，前記平面部６０ｂに形成したねじ孔にナットが合致されるように例えば溶接によって固着された例であり，当該ナットにボルト４ａを締着する方法を示したが，ボルト４ａが締着できるねじ山を有するねじ孔を固定板に備えさせて固定する方法でも良い。
【００１３】
次に本発明のパラボラアンテナ支持装置１１０の，第２の使用例として図４を参照して説明する。尚，以下の説明では，上記第１の実施形態のパラボラアンテナ支持装置１１０と同様の構成要素については同一符号を付与し，詳細な説明は省略する。
この第２の実施例は，第１の実施例と比較して，前記基体６１に対する前記アンテナ支柱２の取付け強度を増す方法である。
本願においては，アンテナ支柱２は略Ｖ字型に形成されており，当該アンテナ支柱２の一方端側２ｃは，前記基体６１の上端面から下端面に渡って，例えば溶接によって固着されている。これによって，前記アンテナ支柱２は基体６１により強固に接着されることになる。また前記アンテナ支柱２の一方端２ｃの端部にはキャップ２ｂが備えさせてある。
この場合も第１の実施例と同様に，前記アンテナ支柱２の開放端側であるアンテナ取付け部２ａの軸線と，基体６１が形成する平面に対する垂直線とがなす角度θを４０〜６０°に成るようにアンテナ支柱２が形成されている。
【００１４】
次に本発明のパラボラアンテナ支持装置の１１０，第３の実施例として図５を参照して説明する。
この実施例においては，アンテナ装置１０２の方位角の調整ができるように，基体６１の外面に，曲げ加工をして設けたアンテナ支持部材６１ｂを備えさせたのである。
【００１５】
ここで用いられるアンテナ支柱２は，図５に示す如く略へ字型をしており，当該アンテナ支柱２の一方端２ｃ（図５においてはアンテナ支持部材１ａに挿着されて見えない）は，前記アンテナ支持部材６１ｂの内面側の空間に挿着される。即ち，前記アンテナ支持部材６１ｂの内面側における空間の寸法を，アンテナ支柱２の直径よりやや大きく形成すると共に，当該アンテナ支柱２の外周の一部に鍔部２ｄが備えられ，当該鍔部２ｄが前記アンテナ支持部材６１ｂの上端部に当接するように形成することで，前記アンテナ支柱２は前記基体１に対して回転自在になるよう構成されているのである。
【００１６】
さらに，前記アンテナ支持部材６１ｂには，前記アンテナ支柱２の挿着部分（２ｃ）を前記基体６１に固着するために，当該アンテナ支持部材６１ｂにはナット１ｃが例えば溶接によって固着されると共に，当該ナット６１ｃに螺着すること外面方向から締め緩めできるように取付けられた，ボルト６１ｄが備えさせてあり，当該ボルト６１ｄでもって前記アンテナ支柱２が引き抜けるのを防止する。また当該アンテナ支柱２に取付けられたアンテナ装置１０２の方向調整が自在にできると共に，方向調整が済んだなら前記ボルト６１ｄを締め付けることで完全に方向が固着されることになる。
【００１７】
あて板３の取付け方向を金属板の長辺の折り曲げ方向が縦骨の反対側になるよう組付け直す事で，フェンスの複数の縦骨にも固定できる。さらに，本体ベース孔６６ａ，６６ｂ及び６６ｃ，６６ｄ間のピッチと，本体ベース孔６６ａ，６６ｃ及び６６ｂ，６６ｄ間のピッチを同じになるよう形成すれば，あて板３を従来の横方向から，縦方向に取付け直すことで，フェンスの横骨にも固定できる，と言った設置場所を選ばない構造となっている。
【００１８】
尚，第３の実施例では，前記アンテナ支柱２の一方端２ｃを，前記基体６１に備えさせたアンテナ支持部材６１ｂの上端方向から装着する方法を示したが，別の実施例として基体６１のアンテナ支持部材６１ｂの下端方向から装着する方法でも良い。この場合，アンテナ支柱２の一方端２ｃを挿着後，当該アンテナ支柱２の一方端２ｃの端部に鍔部を固着すると良い。
【００１９】
以上のように取付けられたパラボラアンテナ支持装置１１０の使用状態について説明する。当該支持装置１１０のアンテナ支柱２における開放端側であるアンテナ取付け部２ａの端部若しくは近傍には，従来から使用されているオフセットパラボラアンテナ（例えばＢＳ衛星放送受信用のオフセットパラボラアンテナ）の鏡面１０２ａ，支持腕１０２ｂ及び鏡面支持装置１０２ｃを利用したものが取付けられる。ところが，従来から使用されている上述のオフセットパラボラアンテナの各構成要素は，鉛直方向に設けられたアンテナ支柱２に取付けられた時に，例えば仰角が略４０°を中心として略±１０°の範囲の上方からくる電波に対して方向調整が可能ように構成されている。
【００２０】
従って，上述の従来から使用されているオフセットパラボラアンテナの各構成要素をそのまま用いて，水平方向からくる電波を受信するためのアンテナ装置１０２とするには，当該アンテナ装置１０２を，従来の鉛直方向のアンテナ支柱２に取付けたときよりも鉛直方向から略４０°下方向に傾くように取付ければ良い。
【００２１】
そこで，本願のパラボラアンテナ支持装置１１０においては，上述のように当該支持装置１１０のアンテナ支柱２におけるアンテナ取付け部２ａの軸線と，基体６１が形成する平面に対する垂直線とがなす角度θを４０〜６０°に成るようにアンテナ支柱２が形成されているので，従来のオフセットパラボラアンテナを，当該アンテナ支柱２に取付けるだけで，アンテナの指向性は電波到来方向である水平方向を向くことになる。また，当該アンテナ装置１０２に備えさせた鏡面支持装置１０２ｃは，上述の如く略±１０°の範囲で角度調整が可能であるので，仰角の微調整も容易に可能となるのである。
【００２２】
更にいえば，第３の実施例においては，上述の如くフェンス等に取付けたときに，前記アンテナ支持部材１ａに備えさせたボルト１ｂの締め緩めすることによって，方位角の調整時には前記アンテナ支柱２を略±９０°の範囲において回転自在に，また，方角の調整が完了時には完全に前記アンテナ支柱２を固着するよう構成されており，本願のパラボラアンテナ支持装置１１０に取付けられたアンテナ装置１０２の方位角調整も容易に行えるのである。
【００２３】
上述のように，本願のパラボラアンテナ支持装置１１０は，アンテナ装置１０２を取付けるアンテナ支柱２の開放端側であるアンテナ取付け部２ａの軸線と，本体ベース１の平面が形成する垂直線とがなす角度θを４０〜６０°となるようにアンテナ支柱２ａを形成したので，従来から用いられているオフセットパラボラアンテナの各構成要素を利用して，水平方向からの電波を容易に受信可能とするパラボラアンテナ支持装置１１０が提供できるのである。
尚，本願は上記実施形態に限定されるものではなく，本発明の趣旨を逸脱しない範囲で各部の形状並びに構成を適宜に変更して実施することも可能である。
【００２４】
【発明の効果】
以上詳述したように，請求項１の発明によれば，基体と，固定板と，その固定板に対し，ボルトの締め付け操作で押付け可能に組み付けられた構造物に対する押え板とを備え，一方，前記固定板には，上記基体に設けた枢着点に枢着して，当該基体の遥動を自在にすると共に，その基体のには遥動方向に長い長溝を設け，その長溝内には前記基体側から固定板遥動止用の締付具を突設させ，
更には，前記基体には，当該基体に保持されてなるアンテナ支柱が備えさせて有り，
前記アンテナ支柱の開放端の軸線と，前記基体が形成する平面の垂直線とが，直交しないように形成したので，本願のパラボラアンテナ支持装置を用いれば，従来からあるオフセットパラボラアンテナを用いて，従来の衛星からの電波ばかりでなく，他方向からの電波を簡単に受信することができるので，新たなアンテナ装置の開発の必要がなく，開発費用の削減，部品の種類の増加とそれに伴う管理費用等の削減等が可能といった有効性の高いパラボラアンテナ支持装置が提供できる。
【００２５】
請求項２の発明によれば，前記アンテナ支柱の開放端側におけるアンテナ取付け部の軸線と前記基体が形成する平面の垂直線とが，４０〜６０°の角度を持つように形成したので，従来からあるオフセットパラボラアンテナを用いて，水平方向からの電波を簡単に受信することができるので，新たなアンテナ装置の開発の必要がなく，開発費用の削減，部品の種類の増加とそれに伴う管理費用等の削減等が可能といった有効性の高いパラボラアンテナ支持装置が提供できる。
【００２６】
請求項３の発明によれば，前記アンテナ支柱を前記本体ベースに保持する部分とパラボラアンテナを取付ける開放端側であるアンテナ取付け部とを一体に形成したので，コストが安価で，部品点数の少なく組立てが容易なパラボラアンテナ支持装置が提供できる。
【図面の簡単な説明】
【図１】本発明に係るパラボラアンテナ支持装置を，既設の衛星アンテナ用の支柱に取付けたときの使用例を示す。
【図２】本発明に係るパラボラアンテナ支持装置の第１の実施例を示す。
【図３】本発明に係るアンテナ支柱の軸線と，本体ベースが形成する平面に対する垂直線の関係を示す。
【図４】本発明に係るパラボラアンテナ支持装置の第２の実施例を示す。
【図５】本発明に係るパラボラアンテナ支持装置の第３の実施例を示す。
【符号の説明】
２…アンテナ支柱，２ａ…アンテナ取付け部（開放端），２ｂ…キャップ，２ｃ…一方端，２ｄ…鍔部，３…あて板，４ａ…ボルト，９…湾曲部，５０…支柱，６０…固定板，６０ａ…側板，６０ｂ…平面部，６１…基体，６１ａ…側板，６１ｂ…アンテナ支持部材，６１ｃ…ナット，６１ｄ…ボルト，６２…ねじ孔，６３…ボルト挿通孔，６４，ボルト挿通孔（長溝），６５…ボルト，６６ａ，６６ｂ，６６ｃ，６６ｄ…ねじ孔，１１０…パラボラアンテナ支持装置，１０１…衛星アンテナ（例えばＢＳ用パラボラアンテナ），１０２…アンテナ装置，１０２ａ…パラボラアンテナ鏡面，１０２ｂ…支持腕，１０２ｃ…鏡面支持装置，１０２ｄ…コンバーター，１０２ｅ…一次放射器，１０３…屋上，１０４…支持台，１０５…同軸ケーブル。
【図１】
2004088367.tif 000003
【図２】
2004088367.tif 000004
【図３】
2004088367.tif 000005
【図４】
2004088367.tif 000006
【図５】
2004088367.tif 000007